(57)【要約】【課題】作業のための地上の占有範囲が狭く、敷地の大部分を通常通り使用してこの敷地範囲内の下方に螺旋状の地下構造物を構築することが可能な地下構造物の構築方法及びこの方法にて構築された地下構造物を提供する。【解決手段】お寺の境内の敷地範囲１内の下方に構築された螺旋状の地下構造物３は、矩形のシールド機５を用いて螺旋状に地盤７を掘進するとともに、掘削した部分に順次セグメントを敷設することにより構築される。この地下構造物３は、シールド機５を発進させるための発進部９からシールド機５を発進させて、シールド機５により所定の深度Ｌに達するまでの所定の下り勾配を有する下り斜路部１３と、シールド機５により下り斜路部１３の終点部Ｚからシールド機５を到達させるための到達部１１に向かって所定の上り勾配を有する上り斜路部１５とから構成される。【選択図】図２
2007177425.tif 000002
【特許請求の範囲】
【請求項１】
シールド機を用いて螺旋状に地盤を掘進するとともに、掘削した部分に順次セグメントを敷設することにより、螺旋状の地下構造物を構築することを特徴とする地下構造物の構築方法。
【請求項２】
前記螺旋状の地下構造物を所定の敷地範囲内の下方に構築することを特徴とする請求項１に記載の地下構造物の構築方法。
【請求項３】
所定の発進部から前記シールド機を発進させて、前記シールド機により所定の深度に達するまでの下り勾配を有する下り斜路部を構築し、
前記シールド機により前記下り斜路部の終点部から地上に向かって上り勾配を有する上り斜路部を構築し、前記シールド機を所定の到達部に到達させることを特徴とする請求項１又は２に記載の地下構造物の構築方法。
【請求項４】
前記発進部及び前記到達部は、シールド機の上下寸法よりもやや深い深度以浅の地中又は地上に設けられることを特徴とする請求項３に記載の地下構造物の構築方法。
【請求項５】
前記発進部は、前記シールド機が載置され、前記シールド機を下り勾配で発進させるための基台と、前記シールド機の発進時の反力を得るための反力手段とを備えることを特徴とする請求項３又は４に記載の地下構造物の構築方法。
【請求項６】
前記地下構造物の所望の深度に鉛直移動するためのエレベータ及び非常階段を設けることを特徴とする請求項１又は２に記載の地下構造物の構築方法。
【請求項７】
人が通行するための通路と、前記地下構造物内を照らすための照明と、前記地下構造物内の空調のための空調機と、前記地下構造物内の水を排水するための排水路と、該排水路からの水を貯留するためのタンクと、該タンク内の水を地上に排出するための排水装置とを設け、人が前記地下構造物内を往来可能であることを特徴とする請求項１又は２に記載の地下構造物の構築方法。
【請求項８】
前記排水装置は、前記タンク内の水を地上に揚水するための揚水ポンプと、前記地下構造物の所定の深度に鉛直移動するためのエレベータのシャフト内に設置され、該排水ポンプから送水される水を地上に送給するための排水管とを備えることを特徴とする請求項７に記載の地下構造物の構築方法。
【請求項９】
シールド機を用いて螺旋状に地盤を掘進するとともに、掘削した部分に順次セグメントを敷設することにより、螺旋状に構築されることを特徴とする地下構造物。
【請求項１０】
前記地下構造物は、所定の敷地範囲内の下方に構築されることを特徴とする請求項９に記載の地下構造物。
【請求項１１】
所定の発進部から前記シールド機を発進させて、前記シールド機により構築され、所定の深度に達するまでの下り勾配を有する下り斜路部と、
前記シールド機により構築され、前記下り斜路部の終点部から所定の到達部に到達するまでの上り勾配を有する上り斜路部とから構成されることを特徴とする請求項９又は１０に記載の地下構造物。
【発明の詳細な説明】
【技術分野】
【０００１】
本発明は、シールド機を用いて螺旋状の地下構造物を構築する地下構造物の構築方法及びこの方法にて構築された地下構造物に関する。
【背景技術】
【０００２】
都心の人口増にともない墓地が不足し、都心の墓地を購入することが困難となっている。そこで、多くの人が郊外の墓地を購入しているが、郊外の墓地にお墓参りに行くことは、都心の自宅から墓地までの往復に時間がかかるうえに、高齢者にとっては身体的負担が大きく、お墓参りが困難となってしまうという問題点があった。そこで、以下に示すように、都心にある寺院の境内や墓苑に平面的に配置されているお墓を立体的に配置する方法が提案されている。
【０００３】
例えば、特許文献１には、コンクリート製の地上部建屋とこの建屋に連続するコンクリート製の地下部とからなる霊園が開示されている。これは、地上部建屋に管理人室や参拝者用の休憩室等を設け、地下部の各階に墓地を設けるものである。
【特許文献１】特公平６−８９６１７号公報
【発明の開示】
【発明が解決しようとする課題】
【０００４】
しかしながら、特許文献１に記載の地上部建屋及び地下部を設ける方法では、地下部を構築する際に、寺院の境内や墓苑の敷地内に筒状の山留め壁を設置し、この山留め壁の内部を掘削する工法が用いられ、以下のような問題があった。（１）山留め壁の設置及び山留め壁の内部掘削のための作業が大規模となり工期が長くなるために、コストがかかるという問題点があった。（２）また、山留め壁の設置及び内部の掘削等の際に、重機による騒音が生じるために、参拝者、近隣住民に迷惑がかかるという問題点があった。そして、この騒音のために、昼間しか作業できないという問題点があった。（３）さらに、工事作業範囲として建設予定位置すべての地上用地を占有してしまうという問題点があった。
【０００５】
本発明は、上記のような従来の問題に鑑みなされたものであって、作業のための地上の占有範囲が狭く、敷地の大部分を通常通り使用してこの敷地範囲内の下方に螺旋状の地下構造物を構築することが可能な地下構造物の構築方法及びこの方法にて構築された地下構造物を提供することを目的とするものである。
【課題を解決するための手段】
【０００６】
前記目的を達成するため、本発明の地下構造物の構築方法は、シールド機を用いて螺旋状に地盤を掘進するとともに、掘削した部分に順次セグメントを敷設することにより、螺旋状の地下構造物を構築することを特徴とする（第１の発明）。  
本発明による地下構造物の構築方法によれば、シールド機にて地下構造物を構築することにより、地下構造物を構築している期間も地上の敷地の大部分を通常通り使用することが可能となる。また、掘削にともなう騒音・振動が発生しないために、昼夜で掘削作業を行うことが可能となる。そして、シールド機が推進すると同時にセグメントが敷設されるために、シールド機の後方では内装作業を並行して行うことが可能となる。したがって、工期を短縮することが可能となる。さらに、地下構造物を構築するための必要断面のみを掘削するために、環境への影響も小さくてすむ。
【０００７】
第２の発明は、第１の発明において、前記螺旋状の地下構造物を所定の敷地範囲内の下方に構築することを特徴とする。  
本発明による地下構造物の構築方法によれば、限られた敷地の下方に長距離の地下構造物を構築することが可能となる。そして、この長距離の地下構造物内を利用することにより限られた敷地の効率的な活用が可能となる。
【０００８】
第３の発明は、第１又は２の発明において、所定の発進部から前記シールド機を発進させて、前記シールド機により所定の深度に達するまでの下り勾配を有する下り斜路部を構築し、前記シールド機により前記下り斜路部の終点部から地上に向かって上り勾配を有する上り斜路部を構築し、前記シールド機を所定の到達部に到達させることを特徴とする。  
本発明による地下構造物の構築方法によれば、下り斜路部及び上り斜路部を構築するために、限られた敷地の下方に長距離の地下構造物を構築することが可能となる。
【０００９】
第４の発明は、第３の発明において、前記発進部及び前記到達部は、シールド機の上下寸法よりもやや深い深度以浅の地中又は地上に設けられることを特徴とする。  
本発明による発進部及び到達部によれば、発進部及び到達部の深度が浅いために、土留め壁の設置は不要又は簡易な設備でよく、掘削も小型の重機にて掘削することが可能となる。したがって、大規模な土留め壁の構築、大規模な掘削等の作業が不要となり、工期を短縮することが可能となる。
【００１０】
第５の発明は、第３又は４の発明において、前記発進部は、前記シールド機が載置され、前記シールド機を下り勾配で発進させるための基台と、前記シールド機の発進時の反力を得るための反力手段とを備えることを特徴とする。  
本発明による発進部によれば、基台と反力手段とを設けることにより、シールド機が下り勾配で発進するとともに、発進時の反力を得ることが可能となる。したがって、地上又はシールド機の一部が地上に露出した状態からシールド機を発進させることが可能となるので、大規模な発進立坑及び到達立坑の構築、発進立坑内への支圧壁の構築等が不要となる。
【００１１】
第６の発明は、第１又は２の発明において、前記地下構造物の所望の深度に鉛直移動するためのエレベータ及び非常階段を設けることを特徴とする。  
本発明による地下構造物の構築方法によれば、エレベータ及び非常階段を設けることにより所望の深度に短時間で容易に移動することが可能となる。
【００１２】
第７の発明は、第１又は２の発明において、人が通行するための通路と、前記地下構造物内を照らすための照明と、前記地下構造物内の空調のための空調機と、前記地下構造物内の水を排水するための排水路と、該排水路からの水を貯留するためのタンクと、該タンク内の水を地上に排出するための排水装置とを設け、人が前記地下構造物内を往来可能であることを特徴とする。  
本発明による地下構造物の構築方法によれば、地下構造物内が人にとって快適な空間となるために、人が地下構造物内を好んで利用するようになる。そして、この地下構造物を人が利用することにより敷地の効率的な活用が可能となる。
【００１３】
第８の発明は、第７の発明において、前記排水装置は、前記タンク内の水を地上に揚水するための揚水ポンプと、前記地下構造物の所定の深度に鉛直移動するためのエレベータのシャフト内に設置され、該排水ポンプから送水される水を地上に送給するための排水管とを備えることを特徴とする。  
本発明による排水装置によれば、エレベータのシャフト内に排水管を設置することにより新に排水管を設置するための立孔を設ける必要がない。
【００１４】
第９の発明の地下構造物は、シールド機を用いて螺旋状に地盤を掘進するとともに、掘削した部分に順次セグメントを敷設することにより、螺旋状に構築されることを特徴とする。
【００１５】
第１０の発明は、第９の発明において、前記地下構造物は、所定の敷地範囲内の下方に構築されることを特徴とする。
【００１６】
第１１の発明は、第９又は１０の発明において、所定の発進部から前記シールド機を発進させて、前記シールド機により構築され、所定の深度に達するまでの下り勾配を有する下り斜路部と、前記シールド機により構築され、前記下り斜路部の終点部から所定の到達部に到達するまでの上り勾配を有する上り斜路部とから構成されることを特徴とする。
【発明の効果】
【００１７】
以上、説明したように、本発明の地下構造物の構築方法によれば、敷地の大部分を通常通り使用して、この敷地範囲内の下方に長距離の地下構造物を構築することが可能となる。
【発明を実施するための最良の形態】
【００１８】
以下、本発明の好ましい実施形態について図面を用いて詳細に説明する。なお、発明の理解の便宜上、構築された地下構造物内を墓地として利用する方法について説明するが、本発明の適用対象は墓地に限定されるものではなく、例えば、博物館、美術館、ギャラリー等の多くの人が利用可能な空間として一般に広く適用が可能である。
【００１９】
図１は、本発明の第一実施形態に係る螺旋状の地下構造物を示す平面図、図２は、本発明の第一実施形態に係る螺旋状の地下構造物を示す断面図である。
【００２０】
図１及び図２に示すように、お寺の境内の敷地範囲１内の下方に構築された螺旋状の地下構造物３は、矩形断面を有するシールド機５を用いて螺旋状に地盤７を掘進するとともに、掘削した部分に順次セグメントを組み立てることにより構築される。この地下構造物３は、シールド機５により構築され、所定の深度Ｌに達するまでの所定の下り勾配を有する下り斜路部１３と、シールド機５により構築され、下り斜路部１３の終点部Ｚから地上に向かって所定の上り勾配を有する上り斜路部１５とから構成される。
【００２１】
これらの上り斜路部１５、下り斜路部１３の所望の深度位置に直接移動するためのエレベータ１７及び非常階段１９が設置される。  
また、地下構造物３の下方に設置され、排水路からの水を貯留するための貯水タンク２１と、この貯水タンク２１内の水を地上に排出するための排水装置２３とが設置される。排水装置２３は、貯水タンク２１内の水を地上に揚水するための揚水ポンプ２５と、エレベータ１７のシャフト内に設置され、この揚水ポンプ２５から送水される水を地上に送給するための排水管２７とを備える。
【００２２】
図３は、本実施形態に係るシールド機５の正面図、図４は、本実施形態に係るシールド機５の断面図である。
【００２３】
図３及び図４に示すように、シールド機５は、進行方向前部で切羽の掘削を行うフード３１と、後部で覆工を行うテール部３３と、フード３１及びテール部３３を結ぶとともに推進設備等を内方に装備するガーダー部３５とから構成され、外部から作用する荷重に対し前述した各部を保護するための矩形筒状の鋼殻からなるスキンプレートとを備える。このスキンプレートの内側に近接して、等間隔にシールドジャッキ３９が設けられ、セグメント全周に均等に推進荷重が作用するように環状に設置される。
【００２４】
シールド機５は、シールド機５本体を推進させるシールドジャッキ３９と、シールド機５の前面側に矩形領域を掘削するように挙動するとともに、側面に向けて直線状又は弧を描きつつ水平方向にシフト可能であり、先端部にカッター刃４３を有するカッターヘッド４１と、カッターヘッド４１を駆動するための駆動源４５と、駆動源４５の駆動力をカッターヘッド４１に伝達する動力伝達機構４７と、ガーダー部３５とテール部３３との間に設けられて、ガーダー部３５のテール部３３に対する上下方向及び左右方向への相対的な屈曲角度を所定の値に設定する中折れジャッキ４９と、セグメント６０を組み立てるためのセグメント組立装置５１と、掘削した土砂を排出するための排出装置５３とを備える。
【００２５】
以下に、上述したシールド機５にて螺旋状の地下構造物３を構築する方法について、地下構造物３の掘削手順に従って説明する。
【００２６】
図５は、本実施形態に係るシールド機５を発進部９に設置した状態を示す側断面図である。図５に示すように、地盤７をシールド機５の高さよりやや深くなるように掘削し、シールド機５を発進させるための発進部９を設ける。この発進部９は、周囲を掘削法面５５にて囲まれており、この掘削法面５５の内側には、シールド機５を所定の下り勾配で発進させるための基台５７と、シールド機５の発進時の反力を得るための反力手段５９とが設置される。なお、必要に応じて掘削法面５５の内側に土留め壁を設けてもよい。  
反力手段５９は、複数の鋼材を組み合わせて構成した架台で、発進部９の地盤上にコンクリート製の基台５７を介して設置される。
【００２７】
図６は、本実施形態に係るシールド機５にて地下構造物３を構築する状態を示す平面図である。図６に示すように、シールド機５にて地盤７を掘削する際の工事作業範囲６３の広さは、本実施形態においては、例えば、１０００ｍ２程度である。工事作業範囲６３内には、トレーラー６１にて運搬されたセグメント６０を仮置きしたり、掘削した土砂等を地上に搬出するためのクレーン６５等が設置される。
【００２８】
図７は、本実施形態に係る地下構造物３を示す平面図である。図７に示すように、下り斜路部１３と上り斜路部１５とは平面的に、水平方向に並列となるように構築され、上り斜路部１５、下り斜路部１３にそれぞれエレベータ１７及び非常階段１９が設置される。そして、エレベータ１７、非常階段１９はそれぞれの斜路部の対角位置に設置される。
【００２９】
次に、シールド機５による下り斜路部１３の構築方法について説明する。  
図８は、本実施形態に係る下り斜路部１３の展開図である。図８に示すように、シールド機５を発進部９内の基台５７に載置し、シールドジャッキ３９を伸長してセグメント６０に当接させ、このシールドジャッキ３９がセグメント６０を介して架台にて支持されることにより、シールド機５の推進時の反力が得られ、シールド機５が発進する。発進と同時にカッターヘッド４１を回転駆動させてカッターヘッド４１のカッター刃４３により地盤７の掘削を開始する。
【００３０】
図９（ａ）、（ｂ）、（ｃ）、（ｄ）、（ｅ）は、それぞれ図７のＡ−Ａ’断面図、Ｂ−Ｂ’断面図、Ｃ−Ｃ’断面図、Ｄ−Ｄ’断面図、Ｅ−Ｅ’断面図である。
【００３１】
図９（ａ）〜（ｅ）に示すように、シールド機５は下り用の所定の曲率半径で、かつ所定の下り勾配にて螺旋状に地盤７を掘削する。掘削した部分には直ちにセグメントが組み立てられて、螺旋状の下り斜路部１３が構築される。下り斜路部１３は順番にａ１、ｂ１、ｃ１、ｄ１、ｅ１、ａ２、ｂ２、ｃ２〜ａ４、ｂ４、ｃ４、ｄ４、ｅ４、ａ５と深度方向に積層されるように構築される。本実施形態においては、下り用の所定の曲率半径（中心から外周まで）は約２５ｍ、所定の下り勾配は約２．４％とした。
【００３２】
シールド機５が所定の深度Ｌ位置（図９（ａ）のａ５）に到達すると、上り斜路部１５が下り斜路部１３に対して平面的に水平方向に隣接するように、シールド機５を内方に向かって推進させる（図７の点線にて示す）。そして、シールド機５が下り斜路部１３の終点部Ｚ（図９（ｃ）のｃ５）に到達すると、地上に向かって所定の上り勾配を有する上り斜路部１５の掘削を開始する。
【００３３】
次に、シールド機５による上り斜路部１５の構築方法について説明する。  
図１０は、本実施形態に係る上り斜路部１５の展開図である。図１０に示すように、地盤７をシールド機５の高さよりやや深くなるように掘削し、シールド機５を到達させるための到達部１１を設ける。到達部１１は、発進部９と同様に、周囲を掘削法面５５にて囲まれている。なお、必要に応じて掘削法面５５の内側に土留め壁を設けてもよい。
【００３４】
そして、終点部Ｚから到達部１１に向かってシールド機５にて上り用の所定の曲率半径で、かつ所定の上り勾配にて螺旋状に地盤７を掘削する。掘削した部分には、下り斜路部１３と同様に、直ちにセグメントが組み立てられて、螺旋状の上り斜路部１５が構築される。上り斜路部１５は、図９（ａ）〜（ｅ）に示すように、順番にｃ５、ｄ５、ｅ５、ａ６、ｂ６、ｃ６、ｄ６、ｅ６〜ａ８、ｂ８、ｃ８、ｄ８、ｅ８、ａ９と地上方向に積層されるように構築される。本実施形態においては、上り用の所定の曲率半径（中心から外周まで）は約１７．５ｍ、所定の上り勾配は約２．９％とした。  
そして、所定の深度Ｔ位置（図９（ａ）のａ９）まで上り斜路部１５を構築したシールド機５を到達部１１に到達させる。到達部１１に到達したシールド機５は敷地範囲１外に搬出される。
【００３５】
図１１は、本実施形態に係る地下構造物３の横断面図、図１２は、本実施形態に係る地下構造物３の縦断面図である。
【００３６】
図１１及び図１２に示すように、地下構造物３内には、人が通行するための通路６７と、地下構造物３内を照らすための照明６９と、温度調整及び空気浄化のための空調機７１と、水を排水するための排水路７３とが設けられ、人が地下構造物３内を快適に往来可能である。本実施形態において地下構造物３は、例えば、高さ２．７ｍ、幅３．０ｍとした。
【００３７】
そして、床に区画を設けて墓地７５を形成して各墓地７５に墓石７６を設置し、この墓石７６の周囲に香炉等の付属品を設置する。お墓参りにきた人は地上に設けられた入口からエレベータ１７で地下構造物３内の所望の階に移動し、そこからは通路６７を歩いて所望のお墓へ行く。お墓には線香やお花をお供えするために、所定の箇所に消火設備７７、水汲み場７９が設けられる。
【００３８】
以上説明した本実施形態における地下構造物３の構築方法によれば、シールド機５にて地下構造物３を構築することにより、地下構造物３を構築している期間も地上の敷地範囲１の大部分を通常通り使用することが可能となる。また、掘削にともなう騒音・振動が発生しないために、昼夜で掘削作業を行うことが可能となる。そして、シールド機５が推進すると同時にセグメントが敷設されるために、シールド機５の後方では内装作業を並行して行うことが可能となる。したがって、工期を短縮することが可能となる。さらに、限られた敷地範囲１の下方に、螺旋状の下り斜路部１３及び上り斜路部１５を構築するために長距離の地下構造物３を構築することが可能となる。そして、地下構造物３を構築するための必要断面のみを掘削するために、環境への影響も小さくてすむ。
【００３９】
また、発進部９に基台５７と反力手段５９とを設けることにより、シールド機５が所定の勾配で発進するとともに、発進時の反力を得ることが可能となる。したがって、地上又はシールド機の一部が地上に露出した状態からシールド機５を発進させることが可能となるので、大規模な発進立坑及び到達立坑の構築、発進立坑内への支圧壁の構築等が不要となる。そして、発進部９及び到達部１１の深度が浅いために、土留め壁の設置は不要又は簡易な設備でよく、掘削も小型の重機にて掘削することが可能となり、大規模な土留め壁の構築、大規模な掘削等の作業が不要となる。
【００４０】
また、エレベータ１７のシャフト内に排水管２７を設置することにより新に排水管２７を設置するための立孔を設ける必要がない。  
そして、本実施形態における地下構造物３の構築方法によれば、エレベータ１７及び非常階段１９を設けることにより所望の深度に短時間で容易に移動することが可能となる。また、地下構造物３内が人にとって快適な空間となるために、人が地下構造物３内を好んで利用するようになる。そして、この地下構造物３を人が利用することにより限られた敷地の効率的な活用が可能となる。
【００４１】
次に、本発明の第二の実施形態について説明する。下記に示す説明において、第一実施形態と同様の構成を用いたものと対応する部分には同一の符号を付して説明を省略し、主に相違点について説明する。
【００４２】
図１３は、本発明の第二実施形態に係る地下構造物８１の横断面図、図１４は、本発明の第二実施形態に係る地下構造物８１の斜視断面図である。  
図１３及び図１４に示すように、第一実施形態にて説明した地下構造物３内の片側のみに墓地７５を設けるだけでなく、左右両側に墓地７５を設けたものである。地下構造物８１内の左右両側に墓地７５を設けるために、本実施形態において地下構造物８１は、例えば、高さ４．０ｍ、幅３．２ｍとした。
【００４３】
以上説明した本実施形態における地下構造物８１の構築方法によれば、地下構造物８１内が人にとって快適な空間となるために、人が地下構造物８１内を好んで利用するようになる。そして、この地下構造物８１を人が利用することにより限られた敷地の効率的な活用が可能となる。
【００４４】
なお、上述したすべての実施形態において、矩形断面を有するシールド機５を用いた地下構造物３、８１の構築方法について説明したが、これに限定されるものではなく、例えば、円形断面等の様々なシールド機５について広く適用可能である。
【００４５】
なお、上述したすべての実施形態において、下り斜路部１３を外周側に、上り斜路部１５を内周側に設ける螺旋状の地下構造物３、８１について説明したが、これに限定されるものではなく、下り斜路部１３を内周側に、上り斜路部１５を外周側に設けてもよく、また、下り斜路部１３、上り斜路部１５を上下に隣合うように配置した２重螺旋状としてもよい。
【００４６】
そして、上述したすべての実施形態において、シールド機５の発進部９を地中に設ける方法について説明したが、これに限定されるものではなく、発進部９を地上に設け、シールド機５を地上から発進させてもよい。
【００４７】
また、上述したすべての実施形態において、シールド機５の到達部１１を地中に設ける方法について説明したが、これに限定されるものではなく、到達部１１を地上に設け、シールド機５を地上に到達させてもよい。
【００４８】
さらに、上述したすべての実施形態において、発進部９、到達部１１を共に地中に設ける方法について説明したが、これに限定されるものではなく、例えば、発進部９を地上、到達部１１を地中に別々に設けてもよい。ただし、上述したすべての実施形態のように、発進部９又は到達部１１を地中に設けてシールド機５を地中から発進させた方が、発進部９又は到達部１１を地上に設けてシールド機５を地上から発進させるよりもアプローチ部が短くなるために、工事作業範囲の占有面積が小さくなる。
【００４９】
そして、上述したすべての実施形態において、地下構造物３、８１内を墓地７５として使用する方法について説明したが、これに限定されるものではなく、地下構造物３、８１内は温度の季節変動及び日変動が小さく、湿度が高いことを利用して、例えば、酒類の貯蔵場所、野菜等の栽培場所として使用してもよい。
【図面の簡単な説明】
【００５０】
【図１】本発明の第一実施形態に係る螺旋状の地下構造物を示す平面図である。
【図２】本発明の第一実施形態に係る螺旋状の地下構造物を示す断面図である。
【図３】本実施形態に係るシールド機の正面図である。
【図４】本実施形態に係るシールド機の断面図である。
【図５】本実施形態に係るシールド機を発進部に設置した状態を示す側断面図である。
【図６】本実施形態に係るシールド機にて地下構造物を構築する状態を示す平面図である。
【図７】本実施形態に係る地下構造物示す平面図である。
【図８】本実施形態に係る下り斜路部の展開図である。
【図９】図７のＡ−Ａ’断面、Ｂ−Ｂ’断面、Ｃ−Ｃ’断面、Ｄ−Ｄ’断面、Ｅ−Ｅ’断面を示す図である。
【図１０】本実施形態に係る上り斜路部の展開図である。
【図１１】本実施形態に係る地下構造物の横断面図である。
【図１２】本実施形態に係る地下構造物の縦断面図である。
【図１３】本発明の第二実施形態に係る地下構造物の横断面図である。
【図１４】本発明の第二実施形態に係る地下構造物の斜視断面図である。
【符号の説明】
【００５１】
１    敷地範囲                      ３、８１  地下構造物
５    シールド機                    ７    地盤
９    発進部                        １１  到達部
１３  下り斜路部                    １５  上り斜路部
１７  エレベータ                    １９  非常階段
２１  貯水タンク                    ２３  排水装置
２５  揚水ポンプ                    ２７  排水管
３１  フード部                      ３３  テール部
３５  ガーダー部                    ３９  シールドジャッキ
４１  カッターヘッド                ４３  カッター刃
４５  駆動源                        ４７  動力伝達機構
４９  中折れジャッキ                ５１  セグメント組立装置
５３  排出装置                      ５５  掘削法面
５７  基台                          ５９  反力手段
６０  セグメント                    ６１  トレーラー
６３  工事作業範囲                  ６５  クレーン
６７  通路                          ６９  照明
７１  空調機                        ７３  排水路
７５  墓地                          ７６  墓石
７７  消火設備                      ７９  水汲み場
Ｌ    所定の深度                    Ｔ    所定の深度
Ｚ    終点部
【図１】
2007177425.tif 000003
【図３】
2007177425.tif 000004
【図４】
2007177425.tif 000005
【図５】
2007177425.tif 000006
【図６】
2007177425.tif 000007
【図７】
2007177425.tif 000008
【図８】
2007177425.tif 000009
【図１０】
2007177425.tif 000010
【図２】
2007177425.tif 000011
【図９】
2007177425.tif 000012
【図１１】
2007177425.tif 000013
【図１２】
2007177425.tif 000014
【図１３】
2007177425.tif 000015
【図１４】
2007177425.tif 000016